(57)【要約】【課題】  一のディスクに記録された再生方法が異なる複数の内容を再生する際の操作性を向上させることができる「ディスク再生装置および方法」を提供すること。【解決手段】  システムコントローラ３０は、再生対象となるディスク１０に記録された記録内容の種類を解析するとともに、ディスク１０に種類が異なる複数の記録内容が記録されているときにこの解析結果に基づいて各記録内容毎に異なる擬似スロット番号を対応させた管理情報を作成する。この管理情報には、擬似スロット番号とともにそれぞれの擬似スロット番号に対応する記録内容の詳細、例えばＣＤ−ＤＡ、ＭＰ３等の情報が含まれている。利用者によって操作部３２が操作されて擬似スロット番号が指定されると、デジタル信号処理部２８は、この擬似スロット番号に対応した記録内容の再生を行う。【選択図】        図１
2005122809.tif 000002
【特許請求の範囲】
【請求項１】
再生対象となるディスク型記録媒体に記録された記録情報の種類を解析する記録情報解析手段と、
前記ディスク型記録媒体に種類が異なる複数の前記記録情報が記録されているときに、前記記録情報解析手段による解析結果に基づいて、複数の前記記録情報のそれぞれを互いに異なる識別情報に対応させた管理情報を作成する管理情報作成手段と、
前記識別情報に対応する前記記録情報に基づいて再生動作を行う再生手段と、
を備えることを特徴とするディスク再生装置。
【請求項２】
請求項１において、
前記管理情報作成手段によって作成された管理情報の内容を表示する第１の表示手段をさらに備えることを特徴とするディスク再生装置。
【請求項３】
請求項１において、
前記管理情報には、前記識別情報とこの識別情報に対応する前記記録情報の種類の特定情報とが含まれていることを特徴とするディスク再生装置。
【請求項４】
請求項１〜３のいずれかにおいて、
複数枚の前記ディスク型記録媒体が収納可能であり、前記再生手段による再生対象となる一の前記ディスク型記録媒体が選択的に取り出されるディスク収納手段をさらに備え、
前記管理情報作成手段は、前記ディスク収納手段に実際に収納された複数枚の前記ディスク型記録媒体に対応する前記管理情報を作成することを特徴とするディスク再生装置。
【請求項５】
請求項４において、
前記ディスク収納手段の収納位置と、それぞれの収納位置に収納された前記ディスク型記録媒体の一あるいは複数の前記記録情報の種類との組み合わせに対して、異なる前記識別情報が用いられることを特徴とするディスク再生装置。
【請求項６】
請求項５において、
前記識別情報は、異なる通し番号を有する仮想的なスロット番号であることを特徴とするディスク再生装置。
【請求項７】
請求項１〜６のいずれかにおいて、
前記ディスク型記録媒体には、少なくともＣＤおよびＤＶＤが含まれており、
前記再生手段は、ＣＤとＤＶＤの両方に対して再生動作を行うことを特徴とするディスク再生装置。
【請求項８】
請求項１〜７のいずれかにおいて、
前記識別情報は、再生方法が異なる前記記録情報のそれぞれに対応して設けられていることを特徴とするディスク再生装置。
【請求項９】
請求項１〜８のいずれかにおいて、
前記記録情報の種類の指定を行う操作手段と、前記操作手段を用いて指定された種類の前記記録情報に対応する前記識別情報を前記ディスク型記録媒体から抽出する識別情報抽出手段とを備え、
前記再生手段は、前記識別情報抽出手段によって抽出された前記識別情報を対象に再生動作を行うことを特徴とするディスク再生装置。
【請求項１０】
請求項１〜８のいずれかにおいて、
前記記録情報は、再生動作によって表示信号が含まれる第１の記録情報と表示信号が含まれない第２の記録情報とに分類され、
前記表示信号に基づいた表示を行う第２の表示手段がこの表示動作以外の用途で使用中のときに、前記ディスク型記録媒体から前記第２の記録情報に対応する前記識別情報を抽出する識別情報抽出手段をさらに備え、
前記再生手段は、前記識別情報抽出手段によって抽出された前記識別情報を対象に再生動作を行うことを特徴とするディスク再生装置。
【請求項１１】
請求項９または１０において、
前記操作手段は、前記識別情報抽出手段によって抽出された複数の識別情報の中から一つを選択するために用いられ、
前記再生手段は、前記操作手段を用いた操作によって選択された一の前記識別情報を対象に再生動作を行うことを特徴とするディスク再生装置。
【請求項１２】
請求項９または１０において、
前記再生手段は、前記識別情報抽出手段によって抽出された前記識別情報を対象にランダムに選択した前記記録情報を順番に再生することを特徴とするディスク再生装置。
【請求項１３】
再生対象となるディスク型記録媒体に記録された記録情報の種類を解析する第１のステップと、
前記ディスク型記録媒体に種類が異なる複数の前記記録情報が記録されているときに、前記第１のステップにおける解析結果に基づいて、複数の前記記録情報のそれぞれを互いに異なる識別情報に対応させた管理情報を作成する第２のステップと、
前記識別情報に対応する前記記録情報に基づいて再生動作を行う第３のステップと、
を有することを特徴とするディスク再生方法。
【請求項１４】
請求項１３において、
前記第２のステップにおいて作成された管理情報の内容を表示する第４のステップをさらに有することを特徴とするディスク再生方法。
【請求項１５】
請求項１３において、
前記管理情報には、前記識別情報とこの識別情報に対応する前記記録情報の種類の特定情報とが含まれていることを特徴とするディスク再生方法。
【請求項１６】
請求項１３〜１５のいずれかにおいて、
複数枚の前記ディスク型記録媒体が収納可能であり、前記第３のステップにおける再生対象となる一の前記ディスク型記録媒体が選択的に取り出されるディスク収納手段を備え、
前記第２のステップにおいて、前記ディスク収納手段に実際に収納された複数枚の前記ディスク型記録媒体に対応する前記管理情報を作成することを特徴とするディスク再生方法。
【請求項１７】
請求項１３〜１６のいずれかにおいて、
前記識別情報は、再生方法が異なる前記記録情報のそれぞれに対応して設けられていることを特徴とするディスク再生方法。
【発明の詳細な説明】
【技術分野】
【０００１】
本発明は、１枚のディスクに記録された再生方法が異なる複数の内容を再生するディスク再生装置および方法に関する。
【背景技術】
【０００２】
従来から、ＣＤプレーヤやＤＶＤプレーヤ等の複数の再生装置が接続された再生システムが知られている（例えば、特許文献１参照。）。この再生システムでは、異なるカテゴリの機器（例えば、ＣＤプレーヤとＤＶＤプレーヤ）を接続してそれぞれの記録内容を再生することができるとともに、同じカテゴリの機器（例えば、複数のＣＤプレーヤ）が接続されている場合にはこれらの機器を同じ名称の入力選択項目に割り当てることができる。このため、同じカテゴリの機器の接続台数が多くなった場合の操作性を向上させることが可能になる。
【特許文献１】特開２００３−９１９２４号公報（第３−８頁、図１−７）
【発明の開示】
【発明が解決しようとする課題】
【０００３】
ところで、最近では、ＣＤ−ＲやＤＶＤ−Ｒ等の書き込み可能な新しいディスクメディアが普及しており、利用者の操作に応じて一枚のディスクメディアに異なる種類の情報、例えばＣＤ−ＤＡ（オーディオＣＤ）用の情報とＭＰ３用の情報を混在させて記録することができるようになっている。しかし、上述した特許文献１に開示された再生システムでは、同じあるいは異なる複数のカテゴリの機器を接続することまでは考慮されているが、一つの機器でこのような再生方法が異なる複数の情報が記録されたディスクメディアを再生することまでは考慮されていないため、このようなディスクメディアに対して記録内容を再生する場合の操作性を向上させることはできなかった。例えば、最近のＣＤプレーヤの中には、ＣＤ−ＤＡ用のディスクとＭＰ３用のディスクを選択的に入れ替えて、どちらの記録内容をも再生することができるものがあるが、一のディスクが装填されるとその記録内容に応じた再生方法が決定されるため、一のディスクにＣＤ−ＤＡ用の情報とＭＰ３用の情報を混在させて記録した場合にはどちらか一方の情報のみが再生されることになる。また、複数枚のディスクを同時に装填可能なディスクチェンジャを用いた場合はディスク単位で再生方法が決定されることになる。例えば、スロット１にＣＤ−ＤＡ用のディスクが装填され、スロット２にＤＶＤ−Ｖｉｄｅｏ用のディスクが装填されている場合には、利用者はスロット番号と再生方法を指定して好みのディスクの再生を行うことになるため（スロット番号を指定するとそのスロットに装填されたディスクの再生方法が自動的に設定される場合もある）、再生方法が異なる情報が１枚のディスクに記録されていると、一のスロットに対応して決定された再生方法と異なる情報については、このスロットに装填されたディスクに記録されていても再生対象にはならず、再生を行うことができない場合も生じる。
【０００４】
本発明は、このような点に鑑みて創作されたものであり、その目的は、一のディスクに記録された再生方法が異なる複数の内容を再生する際の操作性を向上させることができるディスク再生装置および方法を提供することにある。
【課題を解決するための手段】
【０００５】
上述した課題を解決するために、本発明のディスク再生装置は、再生対象となるディスク型記録媒体に記録された記録情報の種類を解析する記録情報解析手段と、ディスク型記録媒体に種類が異なる複数の記録情報が記録されているときに、記録情報解析手段による解析結果に基づいて、複数の記録情報のそれぞれを互いに異なる識別情報に対応させた管理情報を作成する管理情報作成手段と、識別情報に対応する記録情報に基づいて再生動作を行う再生手段とを備えている。
【０００６】
また、本発明のディスク再生方法は、再生対象となるディスク型記録媒体に記録された記録情報の種類を解析する第１のステップと、ディスク型記録媒体に種類が異なる複数の記録情報が記録されているときに、第１のステップにおける解析結果に基づいて、複数の記録情報のそれぞれを互いに異なる識別情報に対応させた管理情報を作成する第２のステップと、識別情報に対応する記録情報に基づいて再生動作を行う第３のステップとを有している。
【０００７】
ディスク型記録媒体に複数種類の記録情報が記録されている場合であってもそれぞれの記録情報に対応する識別情報を指定することにより各記録情報の再生を行うことが可能となり、複数種類の記録情報が混在して記録されているディスク型記録媒体を用いて記録情報の再生を行う際の操作性を向上させることができる。
【０００８】
また、上述した管理情報作成手段によって作成された管理情報の内容を表示する第１の表示手段をさらに備えることが望ましい。上述した第２のステップにおいて作成された管理情報の内容を表示する第４のステップをさらに有することが望ましい。これにより、利用者は、各ディスク型記録媒体の記録情報に対応する識別情報を確認することが可能になり、さらに操作性を向上させることができる。
【０００９】
また、上述した管理情報には、識別情報とこの識別情報に対応する記録情報の種類の特定情報とが含まれていることが望ましい。これにより、利用者は、各識別情報とともにそれぞれに対応する記録情報の種類を特定することが可能になり、さらに操作性を向上させることができる。
【００１０】
また、上述した複数枚のディスク型記録媒体が収納可能であり、再生手段による再生対象となる一のディスク型記録媒体が選択的に取り出されるディスク収納手段をさらに備え、管理情報作成手段は、ディスク収納手段に実際に収納された複数枚のディスク型記録媒体に対応する管理情報を作成することが望ましい。あるいは、第２のステップにおいて、ディスク収納手段に実際に収納された複数枚のディスク型記録媒体に対応する管理情報を作成することが望ましい。これにより、複数枚のディスク型記録媒体のそれぞれに記録された一あるいは複数の記録内容について識別情報を指定した再生を行うことが可能になり、複数種類の記録情報が混在して記録されている一あるいは複数のディスク型記録媒体を用いて記録情報の再生を行う際の操作性を向上させることができる。
【００１１】
また、上述したディスク収納手段の収納位置と、それぞれの収納位置に収納されたディスク型記録媒体の一あるいは複数の記録情報の種類との組み合わせに対して、異なる識別情報が用いられることが望ましい。これにより、複数枚のディスク型記録媒体のそれぞれに複数の記録情報が含まれている場合であっても、識別情報を用いてそれぞれの記録情報を特定することが可能になり、記録情報を特定する際の操作性を向上させることができる。
【００１２】
また、上述した識別情報は、異なる通し番号を有する仮想的なスロット番号であることが望ましい。これにより、ディスクチェンジャなどのディスク収納手段の収納位置を示すスロット番号と同じような仮想的なスロット番号を用いて各ディスク型記録媒体に記録された記録情報を管理することが可能になり、ディスクチェンジャ等が備わった従来装置と互換性のある良好な操作性を実現することができる。
【００１３】
また、上述したディスク型記録媒体には、少なくともＣＤおよびＤＶＤが含まれており、再生手段は、ＣＤとＤＶＤの両方に対して再生動作を行うことが望ましい。あるいは、第３のステップにおいてＣＤとＤＶＤの両方に対して再生動作を行うことが望ましい。このようにＣＤとＤＶＤの両方を再生することが可能な場合には記録情報の種類が多くなって再生指示を行う際の煩雑さがさらに増すため、記録情報の種類毎に識別情報を付して再生を行うことにより、さらに操作性を向上させることが可能になる。
【００１４】
また、上述した識別情報は、再生方法が異なる記録情報のそれぞれに対応して設けられていることが望ましい。これにより、再生方法が異なる複数種類の記録情報、例えば、ＣＤ−ＤＡ用データとＭＰ３ファイルとが混在して１枚のディスク型記録媒体に記録されているような場合であっても、各識別情報を指定することでそれぞれの再生方法の記録情報を特定することが可能になり、少ない操作でそれぞれの記録情報を特定して効率よい再生動作を行うことが可能になる。
【００１５】
また、上述した記録情報の種類の指定を行う操作手段と、操作手段を用いて指定された種類の記録情報に対応する識別情報をディスク型記録媒体から抽出する識別情報抽出手段とを備え、再生手段は、識別情報抽出手段によって抽出された識別情報を対象に再生動作を行うことが望ましい。これにより、利用者自身が種類を指定して記録情報の再生を行うことができるため、特定種類に記録情報のみを再生することが可能になる。
【００１６】
また、上述した記録情報は、再生動作によって表示信号が含まれる第１の記録情報と表示信号が含まれない第２の記録情報とに分類され、表示信号に基づいた表示を行う第２の表示手段がこの表示動作以外の用途で使用中のときに、ディスク型記録媒体から第２の記録情報に対応する識別情報を抽出する識別情報抽出手段をさらに備え、再生手段は、識別情報抽出手段によって抽出された識別情報を対象に再生動作を行うことが望ましい。これにより、表示手段を他の用途、例えばナビゲーション装置による地図表示に用いられている場合等に、表示を伴わない音楽ソース等の記録情報を予め絞って再生対象とすることができ、再生動作を指示する際の操作性を向上させることができる。
【００１７】
また、上述した操作手段は、識別情報抽出手段によって抽出された複数の識別情報の中から一つを選択するために用いられ、再生手段は、操作手段を用いた操作によって選択された一の識別情報を対象に再生動作を行うことが望ましい。これにより、利用者は、種類を指定して記録情報を絞った後、さらにその中から再生したい一の記録情報を選択することができるため、一の記録情報を選択的に再生する場合の操作性をさらに向上させることができる。
【００１８】
また、上述した再生手段は、識別情報抽出手段によって抽出された識別情報を対象にランダムに選択した記録情報を順番に再生することが望ましい。これにより、同一種類の記録情報に対してその都度再生対象として指定することなくランダム再生を行うことが可能になる。
【発明を実施するための最良の形態】
【００１９】
以下、本発明を適用した一実施形態のディスク再生装置について、図面を参照しながら詳細に説明する。
【００２０】
図１は、一実施形態のディスク再生装置の全体構成を示す図である。図１に示す本実施形態のディスク再生装置１は、ディスク１０から読み出した信号に基づいて記録情報の再生を行うものであり、スピンドルモータ１２、スレッドモータ１４、光ピックアップ１６、ＲＦアンプ１８、サーボＬＳＩ２０、サーボドライバ２２、ディスクチェンジャ２４、ディスク装填検出部２６、デジタル信号処理部２８、システムコントローラ３０、操作部３２、デジタル−アナログ変換器（Ｄ／Ａ）３４、ビデオミキシング部３６、ビデオエンコーダ３８を含んで構成されている。
【００２１】
スピンドルモータ１２は、所定位置にセットされたディスク１０を所定速度で回転させる。スレッドモータ１４は、光ピックアップ１６をディスク１０の径方向に移動させる。光ピックアップ１６は、ディスクに記録された信号の読み取りを行うものであり、半導体レーザ、ホトダイオードおよびフォーカスレンズを含んで構成されている。また、光ピックアップ１６には、フォーカスレンズをディスク１０の記録面に対してほぼ垂直方向に移動させるフォーカスアクチュエータと、フォーカスレンズをディスク１０の径方向に移動させるトラッキングアクチュエータも含まれている。
【００２２】
ＲＦアンプ１８は、光ピックアップ１６から出力される信号を増幅してイコライザ処理を行うことによりＲＦ信号を生成し、デジタル信号処理部２８に向けて出力する。またＲＦアンプ１８は、フォーカスサーボに必要なフォーカスエラー信号（ＦＥ）と、トラッキングサーボに必要なトラッキングエラー信号（ＴＥ）を生成し、サーボＬＳＩ２０に向けて出力する。
【００２３】
サーボＬＳＩ２０は、各種のサーボ制御を行う。具体的には、サーボＬＳＩ２０は、ＲＦアンプ１８から出力されるフォーカスエラー信号に対して位相補償や増幅を行い、光ピックアップ１６内のフォーカスアクチュエータの駆動状態を制御するために必要なフォーカスアクチュエータ制御信号を生成する。また、サーボＬＳＩ２０は、ＲＦアンプ１８から出力される制御信号に基づいて、スピンドルモータ１２の駆動状態を制御するために必要なスピンドルモータ制御信号を生成する。サーボＬＳＩ２０によって生成されるこれらの信号は、サーボドライバ２２に向けて出力される。
【００２４】
サーボドライバ２２は、サーボＬＳＩ２０から出力されるフォーカスアクチュエータ制御信号に基づいて、光ピックアップ１６のトラッキングアクチュエータの駆動電圧を発生する。また、サーボドライバ２２は、サーボＬＳＩ２０から出力されるスレッドモータ制御信号に基づいて、スレッドモータ１４の駆動電圧を発生する。さらに、サーボドライバ２２は、サーボＬＳＩ２０から出力されるスピンドルモータ制御信号に基づいて、スピンドルモータ１２の駆動電圧を発生する。
【００２５】
ディスクチェンジャ２４は、ＣＤメディアあるいはＤＶＤメディアの複数枚のディスク１０が装填可能な複数のスロット（例えば６スロット）を有し、いずれかのスロットに装填されたディスク１０を取り出して記録信号が読み取り可能な所定位置にセットしたり、この所定位置にセットされたディスク１０を取り出しスロットに再び収納する動作を行う。ディスク装填検出部２６は、ディスクチェンジャ２４の各スロットへのディスク１０の装填の有無を検出する。
【００２６】
デジタル信号処理部２８は、ＲＦアンプ１８から出力されるＲＦ信号に対して同期検出および復調処理を行った後に、ディスク１０に記録された内容に応じた所定のデコード処理を行い、記録されたオーディオデータあるいはビデオデータを再生、出力する。本実施形態では、ディスク１０としてＣＤメディアあるいはＤＶＤメディアが用いられ、その記録内容（記録情報）として、（１）ＣＤ−ＤＡ用データ、（２）Ｖｉｄｅｏ−ＣＤ用データ、（３）ＤＶＤ−Ａｕｄｉｏ用データ、（４）ＤＶＤ−Ｖｉｄｅｏ用データ、（５）ＭＰ３ファイル、（６）ＷＭＡファイルのいずれかが記録されているものとする。また、１枚のディスク１０には、複数の内容（例えば、ＣＤ−ＤＡ用データとＭＰ３ファイル）が混在して記録されている場合もある。
【００２７】
デジタル信号処理部２８は、これらの各種の記録内容に対応するデコード処理を行うために、ＣＤ−ＤＡ再生部１００、Ｖｉｄｅｏ−ＣＤ再生部１０２、圧縮ファイル再生部１０４、ＤＶＤ−Ｖｉｄｅｏ再生部１０６、ＤＶＤ−Ａｕｄｉｏ再生部１０８を有している。ＣＤ−ＤＡ再生部１００は、ディスク１０に記録された内容がＣＤ−ＤＡ用データであると識別されたときにこの内容を再生してオーディオデータを出力する。Ｖｉｄｅｏ−ＣＤ再生部１０２は、ディスク１０に記録された内容がＶｉｄｅｏ−ＣＤ用データであると識別されたときにこの内容を再生してオーディオデータおよびビデオデータを出力する。圧縮ファイル再生部１０４は、ディスク１０に記録された内容がＭＰ３ファイルあるいはＷＭＡファイルであると識別されたときにこれらの内容を再生してオーディオデータを出力する。ＤＶＤ−Ｖｉｄｅｏ再生部１０６は、ディスク１０に記録された内容がＤＶＤ−Ｖｉｄｅｏ用データであると識別されたときにこの内容を再生してオーディオデータおよびビデオデータを出力する。ＤＶＤ−Ａｕｄｉｏ再生部１０８は、ディスク１０に記録された内容がＤＶＤ−Ａｕｄｉｏ用データであると識別されたときにこの内容を再生してオーディオデータを出力する。
【００２８】
システムコントローラ３０は、サーボＬＳＩ２０対して各種のサーボ指令の出力や、ディスクチェンジャ２４に対して各スロットに装填されたディスク１０の取り出しや収納の指示を行って、ディスク再生装置１の再生動作を制御する。また、システムコントローラ３０は、ディスクチェンジャ２４の各スロットに装填されたディスク１０のメディアタイプおよび記録内容を識別し、この識別結果に応じた再生動作をデジタル信号処理部２８に指示する。
【００２９】
操作部３２は、利用者による各種の操作を行うためのものであり、メディアタイプあるいは擬似スロット（後述する）を指定した再生動作やランダム再生動作等を指示するために必要なカーソルキーや決定キーなどを備えている。
【００３０】
デジタル−アナログ変換器３４は、デジタル信号処理部２８から出力されるオーディオデータを所定チャンネル（例えば、５．１チャンネル）のアナログオーディオ信号に変換する。この各チャンネル毎のアナログオーディオ信号は、図示しないアンプによって増幅された後スピーカ４０から出力される。
【００３１】
ビデオミキシング部３６は、デジタル信号処理部２８から出力されるビデオデータに、システムコントローラ３０から出力される操作画面等のビデオデータや映画の字幕等のテキストデータを合成する。ビデオエンコーダ３８は、ビデオミキシング部３６から出力されたビデオデータを所定形式（例えばＮＴＳＣ形式）の映像信号に変換する。この映像信号はディスプレイ装置４２に向けて出力され、画面上に映像が表示される。
【００３２】
上述したシステムコントローラ３０が記録情報解析手段、管理情報作成手段、識別情報抽出手段に、デジタル信号処理部２８、システムコントローラ３０が再生手段に、ビデオエンコーダ３８、ディスプレイ装置４２が第１および第２の表示手段に、ディスクチェンジャ２４がディスク収納手段に、操作部３２が操作手段にそれぞれ対応する。
【００３３】
本実施形態のディスク再生装置１はこのような構成を有しており、次にディスクチェンジャ２４に装填された各ディスク１０のメディアタイプや記録内容を識別したり、この識別結果に基づいて行われる再生動作について説明する。
【００３４】
図２は、ディスク１０のメディアタイプと記録内容を識別する動作手順を示す図である。電源が投入され、あるいはディスクチェンジャ２４が所定値にセットされると、システムコントローラ３０は、ディスク装填検出部２６による検出結果に基づいて、ディスクチェンジャ２４の各スロットに装填されたディスク１０を検出する（ステップ１００）。
【００３５】
次に、システムコントローラ３０は、ディスク１０が装填された一のスロットを選択し（ステップ１０１）、このスロットに装填されたディスク１０のメディアタイプを識別する（ステップ１０２）。この識別はスロットから実際にディスク１０を取り出して再生可能位置にセットした状態で行われる。ディスク１０がＣＤメディアであるかＤＶＤメディアであるかを識別する方法については従来から各種の方法が用いられている。例えば、ディスク１０の記録面に垂直に光ピックアップ１６を移動させたときに検出されるフォーカスエラー信号を観察し、現れるＳ字カーブの数や信号レベルに基づいてＣＤメディアかＤＶＤメディアかを識別することができる。
【００３６】
次に、システムコントローラ３０は、ディスクメディアの識別結果に基づいて、着目している一のスロットに装填されているディスク１０がＣＤメディアであるか否かを判定する（ステップ１０３）。ＣＤメディアの場合には肯定判断が行われ、次に、システムコントローラ３０は、このディスク１０の記録内容を解析する（ステップ１０４）。上述したように、ディスク１０がＣＤメディアの場合には、その記録内容は基本的にＣＤ−ＤＡ用データ、Ｖｉｄｅｏ−ＣＤ用データ、ＭＰ３ファイル、ＷＭＡファイルのいずれか、あるいはこれらの組み合わせであり、いずれに該当するかが解析される。
【００３７】
ディスク１０がＣＤメディアでない場合にはステップ１０３の判定において否定判断が行われ、次に、システムコントローラ３０は、ディスク１０がＤＶＤメディアであるか否かを判定する（ステップ１０５）。ＤＶＤメディアである場合には肯定判断が行われ、次に、システムコントローラ３０は、このディスク１０の記録内容を解析する（ステップ１０６）。上述したように、ディスク１０がＤＶＤメディアの場合には、その記録内容は基本的にＤＶＤ−Ａｕｄｉｏ用データ、ＤＶＤ−Ｖｉｄｅｏ用データ、ＭＰ３ファイル、ＷＭＡファイルのいずれか、あるいはこれらの組み合わせであり、いずれに該当するかが解析される。
【００３８】
ディスク１０がＤＶＤメディアでない場合にはステップ１０５の判定において否定判断が行われる。この場合とは、ディスク１０がＣＤメディアでもＤＶＤメディアでもない場合であり、システムコントローラ３０は、所定のエラー処理を行う（ステップ１０７）。
【００３９】
エラー処理終了後、あるいはステップ１０４、１０６でのディスク１０の内容解析が終了した後、システムコントローラ３０は、解析未終了のディスク１０が装填されている他のスロットがあるか否かを判定する（ステップ１０８）。このようなスロットがある場合には肯定判断が行われ、次に、システムコントローラ３０は、解析未終了のディスク１０が装填されている別のスロットを選択した後（ステップ１０９）、上述したステップ１０２に戻って、このスロットに装填されたディスク１０のメディアタイプの識別動作以降が繰り返される。
【００４０】
また、解析未終了のディスクが装填されている他のスロットがない場合にはステップ１０８において否定判断が行われ、次にシステムコントローラ３０は、ディスクチェンジャ２４の各スロットおよび各スロットに装填されたディスク１０の記録内容毎に管理情報を作成した後（ステップ１１０）、その内容をビデオミキシング部３６、ビデオエンコーダ３８を介してディスプレイ装置４２に表示する（ステップ１１１）。
【００４１】
図３は、ディスクチェンジャ２４の各スロットに装填されたディスク１０の内容の具体例を示す図である。図３に示すように、各スロットに装填されたディスク１０のメディアタイプと記録内容は以下のようになっている。なお、ディスクチェンジャ２４に設けられた実際のスロットを「実スロット」、本実施形態で導入する仮想的なスロット（後述する）を「擬似スロット」と称してこれらを区別するものとする。この擬似スロットの番号が記録内容の種類毎に設定される識別情報に相当する。
・実スロット１：ＤＶＤメディアのディスク１０が装填されており、その記録内容はＤＶＤ−Ｖｉｄｅｏ用データである。
・実スロット２：ＣＤメディアのディスク１０が装填されており、その記録内容はＣＤ−ＤＡ用データとＭＰ３ファイルとが混在している。
・実スロット３：ＤＶＤメディアのディスク１０が装填されており、その記録内容はＭＰ３ファイルである。
・実スロット４：ＤＶＤメディアのディスク１０が装填されており、その記録内容はＤＶＤ−Ａｕｄｉｏ用データとＤＶＤ−Ｖｉｄｅｏ用データとが混在している。
・実スロット５：ＣＤメディアとしてのディスク１０が装填されており、その記録内容はＶｉｄｅｏ−ＣＤである。
・実スロット６：ＣＤメディアとしてのディスク１０が装填されており、その記録内容はＣＤ−ＤＡである。
【００４２】
ディスクチェンジャ２４の６つの実スロットにはこのようなメディアタイプ、記録内容の６枚のディスク１０が装填されているが、図２のステップ１１０において作成される管理情報では、以下の規則にしたがって設定される擬似スロットを単位として行われる。
（規則１）異なる実スロットに対しては別々の擬似スロットを割り当てる。
（規則２）実際にディスク１０が装填された実スロットのみに擬似スロットを割り当てる。
（規則３）同じ実スロットに再生方法が異なる複数のデータが記録されている場合にはそれぞれのデータに対応するように別々の擬似スロットを割り当てる。
【００４３】
図４は、以上の規則にしたがって作成された管理情報の具体例を示す図である。図４に示すように、それぞれの擬似スロットの内容は以下のようになっている。
・擬似スロット１：実スロット１に装填されたディスク１０には１種類のデータ（ＤＶＤ−Ｖｉｄｅｏ用データ）のみが記録されているので、この実スロット１の内容が擬似スロット１に割り当てられる。
・擬似スロット２：次の実スロットに装填されたディスク１０には２種類のデータ（ＣＤ−ＤＡ用データとＭＰ３ファイル）が記録されているので、擬似スロット２にはその一方（ＣＤ−ＤＡ用データ）が割り当てられる。
・擬似スロット３：擬似スロット３には、実スロット２に装填されたディスク１０に記録された他方のデータ（ＭＰ３ファイル）が割り当てられる。
・擬似スロット４：次の実スロット３に装填されたディスク１０には１種類のデータ（ＭＰ３ファイル）のみが記録されているので、この実スロット３の内容が擬似スロット４に割り当てられる。
・擬似スロット５：次の実スロット４に装填されたディスク１０には２種類のデータ（ＤＶＤ−Ａｕｄｉｏ用データとＤＶＤ−Ｖｉｄｅｏ用データ）が記録されているので、擬似スロット５にはその一方（ＤＶＤ−Ａｕｄｉｏ用データ）が割り当てられる。
・擬似スロット６：擬似スロット６には、実スロット４に装填されたディスク１０に記録された他方のデータ（ＤＶＤ−Ｖｉｄｅｏ用データ）が割り当てられる。
・擬似スロット７：次の実スロット５に装填されたディスク１０には１種類のデータ（Ｖｉｄｅｏ−ＣＤ用データ）のみが記録されているので、この実スロット５の内容が擬似スロット７に割り当てられる。
・擬似スロット８：次の実スロット６に装填されたディスク１０には１種類のデータ（ＣＤ−ＤＡ用データ）のみが記録されているので、この実スロット６の内容が擬似スロット８に割り当てられる。
【００４４】
このように、図３に示した例では、ディスクチェンジャ２４の６つの実スロットに６枚のディスク１０が装填されており、その中の実スロット２、４に装填されたディスク１０には２種類のデータが記録されているため、合計で８つの擬似スロットが設定される。
【００４５】
図２のステップ１１１においては、擬似スロットの個数や各擬似スロットの内容がわかるような形式で表示動作が行われる。例えば、図４に示した内容をそのままの表示態様で表示したり、実質的に同じ内容を維持しつつ表示態様のみを変更して表示する場合が考えられる。
【００４６】
次に、ディスク１０がＣＤメディアあるいはＤＶＤメディアのそれぞれの場合についてその内容解析の具体的手法について説明する。
【００４７】
図５は、ＣＤメディアとしてのディスク１０の内容解析の動作手順を示す流れ図であり、図２のステップ１０４の動作の詳細が示されている。ディスク１０がＣＤメディアであると判定されると、まず、システムコントローラ３０は、ディスク１０のリードイン領域に記録されたＴＯＣ(Table of Contents）情報を取得し（ステップ２００）、ディスク内のトラック種別を解析する（ステップ２０１）。
【００４８】
次に、システムコントローラ３０は、この解析結果に基づいてディスク内のトラックがオーディオトラックか否かを判定する（ステップ２０２）。オーディオトラックの場合には肯定判断が行われ、このトラックに対応する領域がＣＤ−ＤＡ用のデータであると識別される（ステップ２０３）。
【００４９】
また、ディスク内のトラックがオーディオトラックでない場合にはステップ２０２の判定において否定判断が行われる。この場合には、ディスク内のトラックはデータトラックであるため、次に、システムコントローラ３０は、Ｖｉｄｅｏ−ＣＤ用データであるか否かを判定する（ステップ２０４）。この判定は、ＩＮＦＯ．ＶＣＤ（ＭＳＦ＝００：０４：００固定）を読み込んで、識別子が“ＶＩＤＥＯ−ＣＤ”であるか否かを調べることによって行われる。識別子が“ＶＩＤＥＯ−ＣＤ”の場合にはステップ２０４の判定において肯定判断が行われ、このトラックに対応する領域がＶｉｄｅｏ−ＣＤ用のデータであると識別される（ステップ２０５）。
【００５０】
また、識別子が“ＶＩＤＥＯ−ＣＤ”でない場合にはステップ２０４の判定において否定判断が行われ、次に、システムコントローラ３０は、ファイル名に含まれる拡張子に基づいてファイルの内容を識別する（ステップ２０６）。例えば、ファイル名の拡張子が“．ＭＰ３”の場合にはこのファイルはＭＰ３ファイルであると識別される。また、ファイル名の拡張子が“．ＷＭＡ”の場合にはこのファイルはＷＭＡファイルであると識別される。あるいは、ファイル名の拡張子が“．ＢＩＮ”である場合にはこのファイルはプログラムアップデータファイルであると識別される。
【００５１】
なお、プログラムアップデータファイルの場合には、ディスク１０全体がアップデータ用ディスクということであるため、通常の再生動作の対象外であり、このディスク１０が再生対象から除外される。すなわち、着目スロットにこのディスク１０が装填されていないものとして扱われ、図２のステップ１０８の他のスロットの有無判定に移行する。
【００５２】
このようにしてオーディオトラックあるいはデータトラックに対応する内容解析が終了すると、次に、システムコントローラ３０は、同一のディスク１０に他のデータが存在するか否かを判定する（ステップ２０７）。本実施形態では、実スロット２に装填されたディスク１０のように異なる再生方法のデータが混在して記録されている場合もあり、この場合には肯定判断が行われ、他のデータに対してステップ２０２の判定動作以降が繰り返される。また、他のデータが存在しない場合にはステップ２０７において否定判断が行われ、着目している実スロットに装填された１枚のディスク１０についての一連の内容解析動作が終了する。
【００５３】
図６は、ＤＶＤメディアとしてのディスク１０の内容解析の動作手順を示す流れ図であり、図２のステップ１０６の動作の詳細が示されている。ディスク１０がＤＶＤメディアであると判定されると、まず、システムコントローラ３０は、例えばＵＤＦ（Universal Disk Format）ファイルシステムのルート以下の各フォルダおよび各ファイルを対象に、ＤＶＤ−Ｖｉｄｅｏ用ファイルである“ＶＩＤＥＯ＿ＴＳ￥ＶＩＤＥＯ＿ＴＳ．ＩＦＯ”を検索し（ステップ３００）、このファイルが存在するか否かを判定する（ステップ３０１）。このファイルが存在する場合には肯定判断が行われ、このファイルに対応する領域がＤＶＤ−Ｖｉｄｅｏ用データであると識別される（ステップ３０２）。
【００５４】
また、“ＶＩＤＥＯ＿ＴＳ￥ＶＩＤＥＯ＿ＴＳ．ＩＦＯ”が存在しない場合にはステップ３０１において否定判断が行われ、次に、システムコントローラ３０は、ＤＶＤ−Ａｕｄｉｏ用ファイルである“ＡＵＤＩＯ＿ＴＳ￥ＡＵＤＩＯ＿ＴＳ．ＩＦＯ”を検索し（ステップ３０３）、このファイルが存在するか否かを判定する（ステップ３０４）。このファイルが存在する場合には肯定判断が行われ、このファイルに対応する領域がＤＶＤ−Ａｕｄｉｏ用データであると識別される（ステップ３０５）。
【００５５】
また、“ＡＵＤＩＯ＿ＴＳ￥ＡＵＤＩＯ＿ＴＳ．ＩＦＯ”が存在しない場合にはステップ３０４において否定判断が行われ、次に、システムコントローラ３０は、拡張子が“．ＭＰ３”となっているＭＰ３用ファイルを検索し（ステップ３０６）、このファイルが存在するか否かを判定する（ステップ３０７）。このファイルが存在する場合には肯定判断が行われ、このファイルがＭＰ３ファイルであると識別される（ステップ３０８）。
【００５６】
また、ＭＰ３ファイルが存在しない場合にはステップ３０７において否定判断が行われ、次に、システムコントローラ３０は、拡張子が“．ＷＭＡ”となっているＷＭＡ用ファイルを検索し（ステップ３０９）、このファイルが存在するか否かを判定する（ステップ３１０）。このファイルが存在する場合には肯定判断が行われ、このファイルがＷＭＡファイルであると識別される（ステップ３１１）。
【００５７】
このようにして各種のファイルの識別が終了すると（ステップ３０２、３０５、３０８、３１１）、あるいは、ＷＭＡファイルが存在せずにステップ３１０において否定判断が行われると、次にシステムコントローラ３０は、同一のディスク１０に他のデータ（ファイル）が存在するか否かを判定する（ステップ３１２）。本実施形態では、実スロット４に装填されたディスク１０のように異なる再生方法のデータが混在して記録されている場合もあり、この場合には肯定判断が行われ、他のデータに対してステップ３００のファイル検索以降の処理が繰り返される。また、他のデータが存在しない場合にはステップ３１２において否定判断が行われ、着目している実スロットに装填された１枚のディスク１０についての一連の内容解析動作が終了する。
【００５８】
このように、本実施形態のディスク再生装置１では、実スロットとは別に擬似スロットという概念が導入されている。この擬似スロットでは、ディスク１０が異なったり、同じディスク１０内でも再生方法が異なれば別々のスロット番号が付与されるため、ＣＤ−ＲやＤＶＤ−Ｒのように異なる再生方法のデータを書き込み可能であって、実際に異なる再生方法のデータが混在して記録されている場合であっても、利用者は、同一ディスク内の各データを別々の擬似スロットに装填された個別のディスク１０と同等に扱うことができ、それぞれのデータを対象に再生指示等を行う際の操作性を向上させることができる。また、利用者は、ディスクチェンジャ２４に装填されている各ディスク１０がＣＤメディアかＤＶＤメディアかを意識することなく各擬似スロットを指定することができるため、操作内容の簡略化が可能であり、操作性をさらに向上させることができる。
【００５９】
次に、上述した擬似スロットを用いた再生動作の具体例について説明する。図７は、ソースの切り替えを再生方法毎に行う場合の動作手順を示す流れ図である。
【００６０】
システムコントローラ３０は、操作部３２を利用者が操作してソースが指定されると（ステップ４００）、この指定されたソースに対応する擬似スロットを抽出して表示する（ステップ４０１）。本実施形態における「ソース」とは、再生方法が共通する各記録内容のことであり、メディアタイプの相違や擬似スロット番号の相違に関係しない。例えば、ステップ４００においてソースとして「ＭＰ３」が指定されると、システムコントローラ３０は、図４に示した管理情報に基づいて、このＭＰ３を記録内容とする擬似スロット３、４を抽出して表示する（ステップ４０１）。
【００６１】
次に、システムコントローラ３０は、表示された擬似スロット３、４の中のいずれかの番号が利用者によって入力されたか否かを判定するとともに（ステップ４０２）、入力されていない場合には否定判断を行った後、利用者によってソースの変更が指示されたか否かを判定する（ステップ４０３）。ソースの変更が指示されていない場合には否定判断が行われ、ステップ４０２の判定動作が繰り返される。また、ソースの変更が指示された場合にはステップ４０３の判定において肯定判断が行われ、ステップ４０１に戻って該当する擬似スロットの抽出動作以降が繰り返される。
【００６２】
また、擬似スロット番号が入力されてステップ４０２の判定において肯定判断が行われると、システムコントローラ３０は、指定された擬似スロットに対応する記録内容を再生する制御を行う（ステップ４０４）。具体的には、この擬似スロットに対応する実スロットからディスク１０を取り出す指示をディスクチェンジャ２４に送るとともに、所定位置にセットされたディスク１０から記録内容を読み出して再生する指示をサーボＬＳＩ２０やデジタル信号処理部２８に送る。これにより、デジタル信号処理部２８内の該当する再生部において、読み出された記録内容に対する再生動作が行われ、オーディオデータのみあるいはオーディオデータとビデオデータの両方が出力される。そして、オーディオデータに対応するオーディオ音がスピーカ４０から出力され、ビデオデータに対応する映像信号がディスプレイ装置４２に送られて映像表示が行われる。
【００６３】
図８は、ディスプレイ装置４２の使用状態を考慮した再生動作の流れ図である。システムコントローラ３０は、ディスプレイ装置４２が他の用途で使用中か否かを判定する（ステップ５００）。例えば、ディスク再生装置１が車両に搭載されており、ナビゲーション装置（図示せず）が動作中の場合はディスプレイ装置４２は地図表示のために使用されるものとする。このような場合にはステップ５００の判定において肯定判断が行われ、システムコントローラ３０は、再生時にオーディオデータのみが出力され、ビデオデータが出力されないソースに対応した擬似スロットを抽出して表示する（ステップ５０１）。図４に示した例では、擬似スロット２〜５、８が抽出される。また、ディスプレイ装置４２が他の用途に使用されていない場合にはステップ５００の判定において否定判断が行われ、全ての擬似スロットが抽出されて表示が行われる（ステップ５０２）。
【００６４】
次に、システムコントローラ３０は、表示された擬似スロットの中のいずれかの番号が利用者によって入力されたか否かを判定する（ステップ５０３）。いずれの番号も入力されていない場合には否定判断が行われ、この判定が繰り返される。また、表示された擬似スロットの中のいずれかの番号が入力されるとステップ５０３の判定において肯定判断が行われ、システムコントローラ３０は、指定された擬似スロットに対応する記録内容を再生する制御を行う（ステップ５０４）。
【００６５】
図９は、ソースを指定するとともに指定されたソースに対応する一あるいは複数の擬似スロットの記録内容をランダムに再生する動作手順を示す流れ図である。システムコントローラ３０は、利用者によって操作部３２が操作されて、同一ソースのランダム再生が指示されたか否かを判定しており（ステップ６００）、この指示がなされていない場合には否定判断を行ってこの判定を繰り返す。また、この指示がなされてステップ６００の判定において肯定判断が行われた後、システムコントローラ３０は、利用者によってソースが指定されると（ステップ６０１）、指定されたソースに対応する擬似スロットを抽出する（ステップ６０２）。次に、システムコントローラ３０は、抽出した擬似スロットの記録内容を対象にランダム再生を行う制御を開始する（ステップ６０３）。例えば、ソースとして「ＭＰ３」が指定された場合には擬似スロット３、４が抽出されてランダム再生動作が開始されるが、このランダム再生動作では、擬似スロット３、４を区別することなく、全てのＭＰ３ファイルを対象に再生楽曲がランダムに選択され、選択された順番に再生が行われる。
【００６６】
このように、ディスク１０に複数種類の記録内容が記録されている場合であってもそれぞれの記録内容に対応する識別情報としての擬似スロット番号を指定することにより各記録内容の再生を行う行うことが可能となり、複数種類の記録内容が混在して記録されているディスク１０を用いて記録内容の再生を行う際の操作性を向上させることができる。また、各記録内容に対応する擬似スロット番号を含む管理情報の内容を表示することにより、利用者は、各ディスク１０の記録内容に対応する擬似スロット番号を確認することが可能になり、擬似スロットを特定する際の操作性を向上させることができる。また、この管理情報には、擬似スロット番号とこの擬似スロット番号に対応する記録内容の種類を特定する情報（例えばＣＤ−ＤＡ、ＭＰ３等のデータの種類を示す名称）が含まれているため、利用者は、擬似スロット番号とともにそれぞれに対応する記録内容の種類を特定することが容易となる。
【００６７】
また、ディスクチェンジャ２４を備えることにより、複数枚のディスク１０のそれぞれに記録された一あるいは複数の記録内容について擬似スロット番号を指定した再生を行うことが可能になり、複数種類の記録内容が混在して記録されている一あるいは複数のディスク１０を用いて記録内容の再生を行う際の操作性を向上させることができる。
【００６８】
なお、本発明は上記実施形態に限定されるものではなく、本発明の要旨の範囲内において種々の変形実施が可能である。上述した実施形態では、ディスクチェンジャ２４に複数の実スロットが設けられており、全ての実スロットにディスク１０が装填されている場合を例にとって説明したが、ディスク１０が装填されていない空の実スロットがあってもよい。また、ディスクチェンジャ２４を使用せずに、１枚のディスク１０を使用する場合にも本発明を適用することができる。この場合には、この１枚のディスク１０に複数のソースに対応した各種のデータが記録されている場合に、ソースの数に相当する擬似スロットが設けられる。
【００６９】
また、上述した実施形態では、ディスク１０に各ソースに対応したデータを記録する場合について説明したが、その他の記録媒体を用いるようにしてもよい。例えば、半導体メモリやハードディスク装置にＣＤ−ＤＡ用データやＭＰ３ファイルを保存して読み出す場合にも本発明を適用することができる。
【００７０】
また、圧縮ファイルの一例としてＭＰ３ファイルとＷＭＡファイルを考えたが、他の圧縮方式で圧縮した各種ファイルを含むようにしてもよい。
【図面の簡単な説明】
【００７１】
【図１】一実施形態のディスク再生装置の全体構成を示す図である。
【図２】ディスクのメディアタイプと記録内容を識別する動作手順を示す図である。
【図３】ディスクチェンジャの各スロットに装填されたディスクの内容の具体例を示す図である。
【図４】管理情報の具体例を示す図である。
【図５】ＣＤメディアとしてのディスクの内容解析の動作手順を示す流れ図である。
【図６】ＤＶＤメディアとしてのディスクの内容解析の動作手順を示す流れ図である。
【図７】ソースの切り替えを再生方法毎に行う場合の動作手順を示す流れ図である。
【図８】ディスプレイ装置の使用状態を考慮した再生動作の流れ図である。
【図９】ソースを指定するとともに指定されたソースに対応する一あるいは複数の擬似スロットの記録内容をランダムに再生する動作手順を示す流れ図である。
【符号の説明】
【００７２】
１０  ディスク
１２  スピンドルモータ
１４  スレッドモータ
１６  光ピックアップ
１８  ＲＦアンプ
２０  サーボＬＳＩ
２２  サーボドライバ
２４  ディスクチェンジャ
２６  ディスク装填検出部
２８  デジタル信号処理部
３０  システムコントローラ
３２  操作部
３４  デジタル−アナログ変換器（Ｄ／Ａ）
３６  ビデオミキシング部
３８  ビデオエンコーダ
４０  スピーカ
４２  ディスプレイ装置
【図１】
2005122809.tif 000003
【図２】
2005122809.tif 000004
【図３】
2005122809.tif 000005
【図４】
2005122809.tif 000006
【図５】
2005122809.tif 000007
【図６】
2005122809.tif 000008
【図７】
2005122809.tif 000009
【図８】
2005122809.tif 000010
【図９】
2005122809.tif 000011